(57)【要約】【課題】ハイブリッド型のバックライトを採用する液晶表示装置において、バックライトの省電力化と表示映像の画質悪化防止との両立を可能とする。【解決手段】ＬＥＤ１３の光量をホワイトバランス制御により自動制御する第１制御モード（Ｓ５〜Ｓ１１）と、ＬＥＤ１３を消灯状態に若しくは低光量での照明状態に保持しつつ、映像内容に応じて調節される液晶パネルの赤色の出力輝度を、より高める方向に補正する第２制御モード（Ｓ１２〜Ｓ１７）とを、利用者の選択に応じて切り替える。【選択図】図２
2007212820.tif 000002
【特許請求の範囲】
【請求項１】
液晶表示パネルの背面を、概ね白色の光により照明する第１照明手段及び赤色の光により照明する第２照明手段の各々を有するハイブリッド型背面照明手段と、前記液晶表示パネルに表示させる映像内容に応じて赤色を含む複数色各々について前記液晶表示パネルの出力輝度を調節する出力輝度調節手段とを備えた液晶表示装置であって、
所定の制御規則に従って前記第２照明手段の光量を自動制御する第２照明光量制御手段と、
前記第２照明手段を消灯状態に若しくは所定の低光量での照明状態に保持しつつ、前記出力輝度調節手段により映像内容に応じて調節される前記液晶表示パネルの赤色の出力輝度を高める方向に補正する赤色出力輝度補正手段と、
前記第２照明光量制御手段による処理を実行する第１モードと前記赤色出力輝度補正手段による処理を実行する第２モードとを切り替えるモード切替手段と、
を具備してなることを特徴とする液晶表示装置。
【請求項２】
前記モード切替手段は、所定の操作入力手段を通じて設定される前記液晶表示パネルの背面照明の明るさ設定値が、予め定められたしきい値を下回る場合にのみ前記第２モードへの切り替えを可能とするものである請求項１に記載の液晶表示装置。
【請求項３】
前記第１照明手段が蛍光管による照明手段であり、前記第２照明手段が赤色ＬＥＤによる照明手段である請求項１又は２のいずれかに記載の液晶表示装置。
【請求項４】
前記液晶表示パネルの背面側の光の色を検知するカラー検知手段を具備し、
前記第２照明光量制御手段が、前記カラー検知手段の検知結果を目標値に近づける制御規則に従って前記第２照明手段の光量を自動制御するものである請求項１〜３のいずれかに記載の液晶表示装置。
【発明の詳細な説明】
【技術分野】
【０００１】
本発明は、液晶表示パネルの背面を、概ね白色の光で照明する手段及び赤色の光で照明手段を有するハイブリッド型背面照明手段を備えた液晶表示装置に関するものである。
【背景技術】
【０００２】
液晶表示装置は、液晶表示パネルをその背面から照明するバックライト（背面照明手段）を備え、このバックライトとしては、一般的に、赤、緑及び青の各波長の光の合成光を発光する蛍光管（冷陰極管）が採用される。
ここで、蛍光管によるバックライトは、人間の目の色感度を基準として適正と考えられるホワイトバランスに対し、赤色の波長帯の光の強度がやや不足する傾向にあり、色再現性のさらなる向上を図るためには、蛍光管の光よりも赤色波長帯の光が補強された光を発光するバックライトを採用することが望ましい。これに対し、従来、色再現性の向上を目的として、赤、緑及び青の各波長の光を発光する複数色のＬＥＤが配列されたＬＥＤ型のバックライトや、特許文献１に示されるように、従来の蛍光管と赤色波長の光を補う赤色ＬＥＤとの両方が配列されたハイブリッド型のバックライト等が採用されることがある。
【特許文献１】特開２００４−１３９８７６号公報
【発明の開示】
【発明が解決しようとする課題】
【０００３】
ところで、液晶表示装置におけるバックライトは、装置全体に占める消費電力の割合が高い。さらに、ＬＥＤ型のバックライトやハイブリッド型のバックライトを採用すると、蛍光管のみによるバックライトに比べて消費電力が増大する。特に、ＬＥＤ型のバックライトでは、非常に多数のＬＥＤが必要となり、消費電力の増大が顕著となる。
一方、ハイブリッド型のバックライトを採用する液晶表示装置において、赤色ＬＥＤを消灯させ、蛍光管のみによって照明する状態にしたとしても映像は視認できる。このため、利用者の選択により、赤色ＬＥＤを点灯させるモードと、消灯させるモードとを切り替え可能にすることが考えられる。
しかしながら、赤色ＬＥＤを消灯させると、省電力効果が得られるものの、バックライトの赤色成分が不足し、表示映像の画質が比較的大きく悪化する（赤色不足の映像となる）という問題点があった。
従って、本発明は上記事情に鑑みてなされたものであり、その目的とするところは、ハイブリッド型のバックライトを採用する液晶表示装置において、バックライトの省電力化と表示映像の画質悪化防止との両立が可能な液晶表示装置を提供することにある。
【課題を解決するための手段】
【０００４】
上記目的を達成するために本発明は、液晶表示パネルの背面を、概ね白色の光により照明する第１照明手段（蛍光管による照明手段がその典型例）及び赤色の光により照明する第２照明手段（赤色ＬＥＤによる照明手段がその典型例）の各々を有するハイブリッド型背面照明手段と、前記液晶表示パネルに表示させる映像内容に応じて赤色を含む複数色各々について前記液晶表示パネルの出力輝度を調節する出力輝度調節手段とを備えた液晶表示装置に適用され、以下の（１）〜（３）に示す各手段を具備することを特徴とするものである。
（１）所定の制御規則に従って前記第２照明手段の光量を自動制御する第２照明光量制御手段。
（２）前記第２照明手段を消灯状態に若しくは所定の低光量での照明状態に保持しつつ、前記出力輝度調節手段により映像内容に応じて調節される前記液晶表示パネルの赤色の出力輝度を高める方向に補正する赤色出力輝度補正手段。
（３）前記第２照明光量制御手段による処理を実行する第１モードと前記赤色出力輝度補正手段による処理を実行する第２モードとを切り替えるモード切替手段。
このような構成を有することにより、利用者が表示映像の画質を重視する場合に、前記第１モードに切り替えれば、液晶表示パネルにより高画質の映像を表示することができる。一方、利用者が電力消費の低減を優先する場合に、前記第２モードに切り替えれば、第２照明手段の消費電力を低減できる。しかも、この第２モードでは、第２照明手段を消灯状態若しくは低光量状態としたことによる赤色光量の不足分が、液晶表示パネルの赤色の出力輝度の補正によって補われる。このため、表示映像の画質悪化（赤色不足）を最小限に抑えることができる。
【０００５】
ところで、一般的な液晶表示装置は、利用者の好みに応じて、バックライトの基準となる明るさのレベル（以下、明るさ設定値という）を、所定の範囲で任意に設定可能に構成されている。そして、この明るさ設定値が大きいほど、前記第１照明手段の出力レベル（光量）及び前記第２照明手段の出力レベルの両方が、高いレベルに調節される。このため、明るさ設定値が大きい場合に、前記第２モードへ切り替えると、第２照明手段を消灯状態若しくは低光量状態としたことによる赤色光量の不足分を、液晶表示パネルの赤色の出力輝度の補正によって十分に補うことができなくなるという事態が生じ得る。
そこで、前記モード切替手段は、所定の操作入力手段を通じて設定される前記液晶表示パネルの背面照明の明るさ設定値が、予め定められたしきい値を下回る場合にのみ前記第２モードへの切り替えを可能とするものであることが好ましい。
なお、  前記第２照明光量制御手段の制御規則としては、前記液晶表示パネルの背面側の光の色を検知するカラー検知手段の検知結果を目標値に近づけるという制御規則（フィードバック制御）が考えられる。
【発明の効果】
【０００６】
本発明によれば、利用者が表示映像の画質を重視する場合に、前記第１モードに切り替えれば、液晶表示パネルにより高画質の映像を表示することができる。一方、利用者が電力消費の低減を優先する場合に、前記第２モードに切り替えれば、第２照明手段の消費電力を低減できる。しかも、この第２モードでは、第２照明手段を消灯状態若しくは低光量状態としたことによる赤色光量の不足分が、液晶表示パネルの赤色の出力輝度の補正によって補われる。このため、表示映像の画質悪化（赤色不足）を最小限に抑えることができ、バックライトの省電力化と表示映像の画質悪化防止との両立が可能となる。
また、前記明るさ設定値が予め定められたしきい値を下回る場合にのみ、前記第２モードへの切り替えを可能に構成すればなお好適である。これにより、液晶表示パネルの赤色の出力輝度の補正によって十分に補うことができなくなり、前記第２モードへ切り替えることによって画質が悪化してしまうという事態を回避できる。
【発明を実施するための最良の形態】
【０００７】
以下添付図面を参照しながら、本発明の実施の形態について説明し、本発明の理解に供する。尚、以下の実施の形態は、本発明を具体化した一例であって、本発明の技術的範囲を限定する性格のものではない。
ここに、図１は本発明の実施形態に係る液晶表示装置Ｘの概略構成を表すブロック図、図２は液晶表示装置Ｘにおけるバックライト及び液晶出力輝度の制御手順を表すフローチャート、図３は液晶表示装置Ｘにおける蛍光管の基準出力レベルの設定に用いるデータテーブルをグラフ化した図、図４は液晶表示装置Ｘにおける液晶出力輝度の調節に用いるγテーブルをグラフ化した図、図５は液晶表示装置Ｘにおける映像調整用のパラメータ設定画面の一例を表す図である。
【０００８】
まず、図１に示すブロック図を用いて、本発明の実施形態に係る液晶表示装置Ｘの構成について説明する。図１に示す液晶表示装置Ｘは、アンテナ等により受信されたテレビジョン放送信号に基づく映像を液晶表示パネル２１（以下、液晶パネルという）により表示するテレビジョン受像機である。
そして、液晶表示装置Ｘは、液晶パネル２１の背面を、概ね白色の光により照明する蛍光管１２（第１照明手段の一例、図中、ＣＦＬと表す）と、同じく液晶パネル２１の背面を、赤色の光により照明する赤色発光のＬＥＤ１３（第２照明手段の一例）との各々を有するハイブリッド型のバックライト（背面照明手段）を備えている。なお、ここでは、液晶表示装置Ｘの構成例としてテレビジョン受像機を示すが、本発明の適用対象はこれに限るものではなく、例えば、計算機の液晶表示装置等、液晶パネルとハイブリッド型のバックライトとを備えるものであれば、他の液晶表示装置であってもかまわない。
図１に示すように、液晶表示装置Ｘは、複数のチューナ１ａ、１ｂ、１ｃ、外部入力部２、映像切替回路３、映像処理回路４、タイマ回路６、リモコン７、制御回路８、リモコンインターフェース（Ｉ／Ｆ）回路９、液晶パネル２１、バックライトを構成する蛍光管１２及びＬＥＤ１３、インバータ回路１４、ＬＥＤ駆動回路１５、カラーセンサ１６、明るさセンサ１７、音声切替回路１０、音声処理回路１１、アンプ２２、及びスピーカ２３等を具備して構成されている。
【０００９】
前記チューナ１ａ、１ｂ、１ｃは、各々地上波放送信号、ＢＳ衛星放送信号及びＣＡＴＶ放送信号の各々が入力され、入力された各放送信号から前記制御回路８により指示される放送チャンネルの信号を抽出（選局）するとともに、その抽出信号の検波によって映像信号及び音声信号を取り出し、その映像信号及び音声信号の各々を前記映像切替回路３及び前記音声切替回路１０各々へ伝送するものである。
また、前記外部入力部２は、外部からコンポジット方式或いはセパレート方式の映像信号及び音声信号等である外部入力映像信号及び外部入力音声信号を入力し、それらを前記映像切替回路３及び前記音声切替回路１０各々へ伝送するインターフェースである。
前記映像切替回路３は、前記チューナ１ａ、１ｂ、１ｃ各々からの映像信号及び前記外部入力部２からの映像信号を入力し、それらの映像信号のうちの任意の１つの映像信号を前記制御回路８からの指示に従って選択して出力するものである。
【００１０】
前記映像処理回路４は、前記映像切替回路３から出力された映像信号に対して各種信号処理を行うものである。例えば、映像信号から水平及び垂直同期信号の分離、その同期信号に位相同期したクロック信号の生成、映像信号からの輝度信号及び色信号の分離、所定の画質改善処理等を行い、処理後の映像信号を前記液晶パネル２１に出力する。
ここで、映像処理回路４が液晶パネル２１に出力する映像信号は、赤、青及び緑の各色の出力輝度を表す信号である。映像処理回路４は、液晶パネル２１に表示させる映像内容に応じて、赤、青及び緑の各色の映像信号のレベル（出力輝度のレベル）を調節する（出力輝度調節手段の一例）。ここで、映像内容は、画素ごと及び各色ごとに、その画素の濃度レベルを表す映像階調によって定まる。映像処理回路４は、液晶パネル２１での表示映像が、その映像階調に対応した濃度で視認されるように、映像階調を所定のγ曲線に従って映像信号のレベルに変換（映像信号レベルを調節）する。以下、この映像処理回路４により調節される赤、青及び緑の各色の映像信号レベルが表す輝度を、液晶出力輝度という。
【００１１】
前記制御回路８は、演算手段であるＭＰＵ８ａ、そのＭＰＵ８ａによって実行される制御プログラムが予め格納される記憶手段であるＲＯＭ８ｂ（ＥＰＲＯＭ）、前記ＭＰＵ８ｂが実行する処理において読み書き（参照又は書き込み）される設定情報を記憶するＥＥＰＲＯＭ８ｃ等を備え、当該液晶表示装置Ｘ全体を制御するものである。
前記タイマ回路６は、時刻の計時や、制御回路８により指定された時間の計時を行うものである。タイマ回路６の計時結果は、制御回路８に伝送される。
前記リモコンインターフェース回路９は、当該液晶表示装置Ｘの操作用のリモコン７（リモート操作器）から、赤外線伝送等の無線伝送によって前記リモコン７に対する操作入力情報を取得し、その操作入力情報を前記制御回路８に出力するものである。
例えば、チャンネル選択が行われる場合、前記リモコン７のチャンネル選択キーに対する操作入力の情報が、前記リモコンインターフェース回路９を通じて前記制御回路８に入力され、その操作入力情報に従って、前記制御回路８により、前記チューナ１ａ、１ｂ、１ｃのいずれかに対して選局するチャンネルが指定されるとともに、そのチャンネルの映像が前記液晶パネル２１に表示されるように前記映像切替回路３が制御される。
同様に、音量調節が行われる場合、前記リモコン７の音量ボリューム調節キー（音量のアップキーとダウンキー）に対する操作入力情報に従って、前記制御回路８から前記アンプ２２に対して出力音量の調節指令が出力され、その指令に従って前記アンプ２２により前記スピーカ２３に対する出力音量が調節される。
【００１２】
前記音声切替回路１０は、前記チューナ１ａ、１ｂ、１ｃ各々からの音声信号及び前記外部入力部２からの音声信号が入力され、それらの音声信号のうちの任意の１つの音声信号を、前記制御回路８からの指示に従って前記音声処理回路１１に出力するものである。
前記音声処理回路１１は、前記制御回路８からの指示に従って、前記音声切替回路１０から出力された音声信号に対して各種信号処理を行うものである。例えば、前記スピーカ２３の特性に合わせたイコライズ処理や、サラウンド処理等を行う。
前記アンプ２２は、前記音声処理回路１１による処理後の音声信号を、前記制御回路８からの指示に従って増幅或いは減衰させる処理を行い、前記アンプ２３に出力するものである。
また、前記液晶パネル２１は、映像処理回路４から出力される映像信号に基づく映像を表示するものである。
また、前記明るさセンサ１７は、液晶パネル２１の前面側の明るさ（液晶表示装置Ｘの設置環境の明るさ）を検知するセンサであり、前記カラーセンサ１６は、液晶パネル２１の背面側における光の色分布（Ｒ、Ｇ、Ｂの分布）を検知するセンサである。これらのセンサは、後述するように、蛍光管１２やＬＥＤ１３の明るさ（出力）制御に用いられる。
【００１３】
液晶パネル２１のバックライト（背面照明手段）を構成する蛍光管１２は、赤、緑及び青の各波長の光の合成光である概ね白色の光を発光するものであり、複数の蛍光管が配列されて構成されている（第１の照明手段の一例）。また、同じくバックライトを構成するＬＥＤ１３は、赤色波長の光を発光する赤色ＬＥＤであり、複数の蛍光管１２の間等に複数配列されて構成されている（第２の照明手段の一例）。
蛍光管１２は、前記インバータ回路１４（図中、ＩＮＶ回路と示す）により駆動され、インバータ回路１４は、制御回路８から出力される制御指令に従って、蛍光管１２への供給電力を調節する。具体的には、制御回路８からインバータ回路１４に対して矩形波状のパルス信号が出力され、そのパルス信号のデューティー比に応じたデューティー比を有するパルス状の駆動電圧が蛍光管１２に供給される。そして、制御回路８がインバータ回路１４に出力するパルス信号のデューティー比を調節することにより、ＰＷＭ（Pulse Width Modulation：パルス幅階調)調光による蛍光管１２の明るさ調節が行われる。これにより、蛍光管１２の点灯、消灯及び明るさの制御が行われる。
一方、ＬＥＤ１３（赤色ＬＥＤ）は、前記ＬＥＤ駆動回路１５により駆動され、ＬＥＤ駆動回路１５が、制御回路８から出力される制御指令に従って、ＬＥＤ１３に対する供給電流を調節することにより、電流調光方式によるＬＥＤ１３の明るさ調節が行われる。これにより、ＬＥＤ１３の点灯、消灯及び明るさの制御が行われる。
【００１４】
次に、液晶表示装置Ｘにおける映像調整機能について説明する。
液晶表示装置Ｘは、リモコン７を通じた所定の操作入力に応じて、各種の映像調整パラメータを設定する映像調整機能を備えている。これにより、利用者の好みに応じた映像表示を行うことが可能である。
図５は、リモコン７を通じて所定のボタン操作がなされた場合に、液晶パネル２１にＯＳＤ画面として表示される映像調整用のパラメータ設定画面（以下、映像調整画面という）の一例を表すものである。この映像調整画面は、制御回路８が、リモコンインターフェース回路９を通じて、リモコン７で映像調整画面の呼び出し操作がなされたことを検知した場合に、映像処理回路４を制御することによって液晶パネル２１に表示させる画面である。
図５に示すように、映像調整画面は、「明るさ」、「映像」、「黒レベル」、「色の濃さ」、「色あい」、「画質」及び「ＬＥＤ」の各パラメータの設定値を設定するための画面である。制御回路８は、この映像調整画面の表示中にリモコン７に対する操作入力の内容をリモコンインターフェース回路９を通じて検知し、その検知内容に応じて各パラメータの設定値を決定するとともに、その設定値をＥＥＰＲＯＭ８ｃに記憶させる。さらに、制御回路８は、これら各パラメータの設定値に基づいて映像処理回路４を制御することにより、液晶パネル２１に表示させる映像の状態を調節する。
以下、本発明に特に関連するパラメータである「明るさ」及び「ＬＥＤ」の両パラメータについて説明する。
・「明るさ」
この「明るさ」というパラメータは、液晶パネル２１のバックライトの明るさの基準となるレベルを定めるパラメータである。この「明るさ」の設定値は、リモコン７に対する操作入力に応じて、−１６〜＋１６の３３段階の整数の中から選択される。この設定値が大きいほどバックライトが明るくなるよう調節される。なお、この「明るさ」の設定値が、所定の操作入力手段を通じて設定される液晶表示パネルの背面照明の明るさ設定値の一例である。
・「ＬＥＤ」
この「ＬＥＤ」というパラメータは、液晶表示装置Ｘを、赤色のＬＥＤ１３を点灯させて映像表示を行う動作モード（以下、第１動作モードという）で動作させることを指定するＬＥＤ−ＯＮモードと、赤色のＬＥＤ１３を消灯させて映像表示を行う動作モード（以下、第２動作モードという）で動作させることを指定するＬＥＤ−ＯＦＦモードと、のいずれかの設定値をとり得るパラメータである。
後述するように、液晶表示装置Ｘは、リモコン７を通じた所定の選択操作入力に設定されるＬＥＤの動作モードに基づいて、前記第１モードでの動作と前記第２モードでの動作とを切り替え可能に構成されている。この「ＬＥＤ」の設定値は、リモコン７に対する操作入力に応じて、ＬＥＤ−ＯＮモードに相当する「ＯＮモード」と、ＬＥＤ−ＯＦＦモードに相当する「ＯＦＦモード」とのいずれかから選択される。
【００１５】
次に、図２に示すフローチャートを参照しつつ、制御回路８のＭＰＵ８ｃが所定の制御プログラムを実行することにより実現されるバックライトの制御、及び映像処理回路４が制御回路８からの制御指令に従って実行する液晶出力輝度の制御の手順について説明する。なお、図２に示す処理は、利用者によるリモコン７操作等により、当該液晶表示装置Ｘが起動（電源ＯＮ）された場合や、タイマー起動設定等により予め設定された時刻に当該液晶表示装置Ｘが自動起動した場合等に開始されるものとする。また、以下に示すＳ１、Ｓ２、…は、処理手順（ステップ）の識別符号を表す。
［ステップＳ１、Ｓ２］
まず、制御回路８は、インバータ回路１４を制御することによって蛍光管１２（ＣＦＬ）を点灯させる（Ｓ１）。
次に、制御回路８は、明るさセンサ１７及びカラーセンサ１６を通じて、液晶パネル２１の前面側の明るさ、及び液晶パネル２１の背面側の光の色（色分布）を検知する（Ｓ２）。
【００１６】
［ステップＳ３、Ｓ４］
次に、制御回路８は、事前に前記映像調整機能により設定されてＥＥＰＲＯＭ８ｃに記憶された映像調整に関するパラメータの設定値を参照することにより、ＬＥＤ１３の動作モードが前記ＬＥＤ−ＯＦＦモードであるか否かの判別（Ｓ３）と、明るさ設定値が、予め定められたしきい値（ここでは１）未満であるか否かの判別（Ｓ４）とを行う。
ここで、制御回路８は、ＬＥＤ１３の動作モードがＬＥＤ−ＯＦＦモードに設定されており、かつ、明るさ設定値が予め定められたしきい値（＝１）を下回る場合に、前記第２モード（ＬＥＤ消灯モード）での動作を実行するステップＳ１２からＳ１７に処理を移行させる。それ以外の場合は、制御回路８は、前記第１モード（ＬＥＤ点灯モード）での動作を実行するステップＳ６からＳ１１に処理を移行させる。以下、これら第１モード（Ｓ５〜Ｓ１１）及び第２モード（Ｓ１２〜Ｓ１７）における処理手順について説明する。
【００１７】
・第１モード
[ステップＳ５、Ｓ６]
この第１モードでは、まず、制御回路８は、ＬＥＤ駆動回路１５を制御することにより、ＬＥＤ１３を点灯させる（Ｓ５）。
また、制御回路８は、蛍光管１２の基準となる出力レベル（光量）を決定するために用いる基準出力テーブルとして、第１モードに対応したテーブル（以下、第１テーブルという）を設定する（Ｓ６）。
図３は、蛍光管１２の基準出力レベル（基準光量）の設定に用いる前記基準出力テーブル（データテーブル）をグラフ化したものである。ここで、図３（ａ）の実線グラフは、前記第１モードでの動作時に採用される前記第１テーブル、図３（ｂ）の実線グラフは、前記第２モードでの動作時に採用される前記第２テーブルを表す。図３に示すように、前記基準出力テーブルは、明るさ設定値を蛍光管１２の基準出力レベルに変換するために用いる変換テーブルである。
図３（ａ）に示すように、前記第１テーブルは、明るさ設定値に対して蛍光管１２の基準出力レベルがほぼ比例するようなデータテーブルとなっており、予めＥＥＰＲＯＭ８ｃ等のメモリに記憶されている。
【００１８】
［ステップＳ７、Ｓ８、Ｓ９］
また、制御回路８は、前記映像調整機能により設定された前記明るさ設定値を、ステップＳ６で設定した前記第１テーブルに従って蛍光管１２の基準出力レベルを決定する（Ｓ７）。さらに、制御回路８は、その基準出力レベルを、ステップＳ２で検知した明るさに応じて補正し、補正後の出力レベルに基づいてインバータ回路１４を制御する（Ｓ８）。即ち、制御回路８は、液晶パネル２１の前面側の明るさを検知する明るさセンサ１７の検知レベルに応じて、蛍光管１２の明るさ（出力）を制御する。具体的には、液晶パネル２１の前面側が明るいほど蛍光管１２の明るさ（出力）を上げる。これにより、周囲の明るさとの関係で、相対的に液晶パネル２１の出力映像が暗すぎると感じられたり、明るすぎると感じられたりすることを防止できる。
また、制御回路８は、ステップＳ２で検知した光の色（液晶パネル２１の背面側の光の色分布）に応じて、ＬＥＤ１３の明るさ（出力）を調節する（Ｓ９）。具体的には、制御回路８は、カラーセンサ１６により検知されるＲＧＢの色分布に基づいて、その色バランスが予め定められた目標とするホワイトバランスに近づくように、ＬＥＤ１３による赤色光の補強制御（自動制御）を行う。即ち、制御回路８（第２照明光量制御手段の一例）は、カラーセンサ１６の検知結果を目標値に近づけるという制御規則に従って、ＬＥＤ１３の光量を自動制御するものである。これにより、通常、ＬＥＤ１３の出力レベルは、図３（ａ）に破線グラフで示すように、蛍光管１２の出力レベルにほぼ比例したレベルとなる。
【００１９】
［ステップＳ１０、Ｓ１１］
また、制御回路８は、映像処理回路４に対し、前記液晶出力輝度の調節に用いられるγテーブルを設定する（Ｓ１０）。
図４に示すグラフは、液晶出力輝度の調節に用いるγテーブルをグラフ化したものである。なお、図４には、赤色の液晶出力輝度に関するγテーブルを例示しているが、他の色（緑色、青色）についても同様である。
図４に実線のグラフで示すように、γテーブルは、前記映像階調を前記映像出力輝度に変換するγ曲線を規定する変換テーブル（データテーブル）である。ここで、γテーブルは、前記映像調整機能により設定された明るさ設定値ごとに異なる。図４には、ステップＳ１０で設定され得るγテーブルとして、明るさ設定値＝１６のときに採用されるγテーブルＴｂγ［16］、明るさ設定値＝０のときに採用されるγテーブルＴｂγ［0］、明るさ設定値＝−１６のときに採用されるγテーブルＴｂγ［-16］を実線のグラフで例示している。
ステップＳ１０では、制御回路８は、前記映像調整機能により設定された明るさ設定値に応じて、１つのγテーブルを選択し映像処理回路４に設定する。
また、映像処理回路４は、ステップＳ１０で設定されたγテーブルに基づいて前記映像階調を前記液晶出力輝度に変換することにより、液晶出力輝度を調節する（Ｓ１１）。これにより、液晶パネル２１に映像が表示される。
以上示した第１モードの処理（Ｓ５〜Ｓ１１）が終了すると、制御回路８は、処理を前述したステップＳ２へ移行させる。これにより、再度、ステップＳ２からの処理が繰り返される。
【００２０】
・第２モード
[ステップＳ１２、Ｓ１３]
一方、第２モードでは、まず、制御回路８は、ＬＥＤ駆動回路１５を制御することにより、ＬＥＤ１３を消灯させる（Ｓ１２）。
また、制御回路８は、蛍光管１２の基準となる出力レベル（光量）を決定するために用いる基準出力テーブルとして、第２モードに対応したテーブルである前記第２テーブルを設定する（Ｓ１３）。
図３（ｂ）に示すように、前記第２テーブルも、明るさ設定値に対して蛍光管１２の基準出力レベルがほぼ比例するようなデータテーブルとなっており、予めＥＥＰＲＯＭ８ｃ等のメモリに記憶されている。但し、そもそも第２モードの動作は、ステップＳ４の処理により、明るさ設定値が０未満である場合にのみ実行されるため、明るさ設定値が０以上である場合における蛍光管１２の基準出力レベルは規定されていない。さらに、前記第２テーブルでは、同じ明るさ設定値に対する基準出力レベルが、前記第１テーブルよりも高くなるよう設定されている。これは、ＬＥＤ１３が点灯されない分だけバックライト全体の光量が低下するため、その低下分を補うためである。なお、図３（ｂ）に示す破線グラフは、図３（ａ）に示した前記第１テーブルを表す。
【００２１】
［ステップＳ１４、Ｓ１５］
また、制御回路８は、前記映像調整機能により設定された前記明るさ設定値を、ステップＳ１３で設定した前記第２テーブルに従って蛍光管１２の基準出力レベルを決定する（Ｓ１４）。さらに、制御回路８は、その基準出力レベルを、ステップＳ２で検知した明るさに応じて補正し、補正後の出力レベルに基づいてインバータ回路１４を制御する（Ｓ１５）。このステップＳ１４、Ｓ１５の処理は、前記第１テーブルを用いるか前記第２テーブルを用いるかの違い以外は、ステップＳ８、Ｓ９と同じ処理である。
【００２２】
［ステップＳ１６］
また、制御回路８は、映像処理回路４に対し、前記液晶出力輝度の調節に用いられるγテーブルを設定するとともに、さらに、そのγテーブルに基づいて定まる赤色の液晶出力輝度の補正に用いる補正係数も映像処理回路４に対して設定する（Ｓ１６）。
ここで、制御回路８は、ステップＳ１０での処理と同様に、前記映像調整機能により設定された明るさ設定値に応じて、１つのγテーブルを選択し映像処理回路４に設定する。例えば、明るさ設定値＝−16であるときは、図４に実線で示すγテーブルＴｂγ[-16]を設定する。
また、制御回路８は、赤、緑及び青の各色のγテーブルのうち、赤色のγテーブルに基づいて映像内容に応じて（即ち、前記映像階調に応じて）定まる赤色の液晶出力輝度（液晶パネル２１の赤色の出力輝度）を、より高める方向に補正するための補正係数を映像処理回路４に設定する。
図４に、明るさ設定値＝０のときに採用されるγテーブルＴｂγ［0］を、ステップＳ１６で設定される補正係数に基づいて補正した後のγテーブルＴｂｒ’[0]と、明るさ設定値＝−１６のときに採用されるγテーブルＴｂγ［-16］を、ステップＳ１６で設定される補正係数に基づいて補正した後のγテーブルＴｂｒ’[-16]とを、破線グラフにより例示している。
例えば、明るさ設定値＝０の場合、制御回路４は、前記第１モードで明るさ設定値＝０である場合における赤色のＬＥＤ１３の推定出力レベル（図３（ａ）にＲＬ0と表記しているレベル）に対応する分だけ、赤色の液晶出力輝度が補正されるような補正係数を映像処理回路４に設定する。
同様に、明るさ設定値＝−１６の場合、制御回路４は、前記第１モードで明るさ設定値＝−１６である場合における赤色のＬＥＤ１３の推定出力レベル（図３（ａ）にＲＬ-16と表記しているレベル）に対応する分だけ、赤色の液晶出力輝度が補正されるような補正係数を映像処理回路４に設定する。
これら補正係数は、明るさ設定値ごとに予め行われる実験等に基づき決定され、制御回路８のＥＥＰＲＯＭ８ｃ等に予め記憶させておく。
【００２３】
［ステップＳ１７］
また、映像処理回路４は、ステップＳ１６で設定されたγテーブル前記映像階調を前記液晶出力輝度に変換する（即ち、映像内容に基づき調節する）とともに、その変換により得られる液晶出力輝度を、ステップＳ１６で設定された補正係数に基づき補正する（Ｓ１７）。これにより、液晶パネル２１に、前記第１モードの場合よりも赤色が補強された映像が表示される。
このように、映像処理回路４は、ＬＥＤ１３を消灯状態に保持しつつ、映像内容（前記映像階調）に基づいて赤、青及び緑の各色の前記液晶出力輝度を調節するとともに、赤色については、さらにその液晶出力輝度を、より高める方向に補正する（赤色出力輝度補正手段の一例）。
以上示した第２モードの処理（Ｓ１２〜Ｓ１７）が終了すると、制御回路８は、処理を前述したステップＳ２へ移行させる。これにより、再度、ステップＳ２からの処理が繰り返される。
【００２４】
以上に示したように、制御回路８は、利用者の選択操作によって前記ＬＥＤ−ＯＦＦモードに設定するか否かを選択する機能（前記映像調整機能）を備え、さらに、前記ＬＥＤ−ＯＦＦモードに設定されたか否かにより、ホワイトバランス制御によりＬＥＤ１３の光量を自動制御する第１モードと、ＬＥＤ１３を消灯させて赤色の液晶出力輝度を高めるように補正する第２モードとを切り替える機能を備える（モード切替手段の一例）。これにより、利用者が省電力を優先する場合に、前記第２モードで動作することによって省電力化が図れる。しかも、この第２モードでは、ＬＥＤ１３を消灯状としたことによる赤色光量の不足分が、液晶パネル２１の赤色の出力輝度の補正によって補われる。このため、表示映像の画質悪化（赤色不足）を最小限に抑えることができる。
さらに、制御回路８は、ステップＳ４の処理により、明るさ設定値が予め定められたしきい値（＝１）を下回る場合にのみ、前記第２モード（ＬＥＤ消灯モード）への切り替えを可能としている。これにより、明るさ設定値が大き過ぎるために、ＬＥＤ１３を消灯状態にしたことによる赤色光量の不足分を、赤色の液晶出力輝度の補正によって十分に補うことができなくなるという事態を回避できる。
【００２５】
以上に示した液晶表示装置Ｘは、前記第２モードでの動作時に、赤色のＬＥＤ１３を消灯させるものであったが、これに限るものではない。
例えば、第２モードにおいて、制御回路８が、ＬＥＤ駆動回路１５を制御することによってＬＥＤ１３所定の低光量での照明状態に保持するよう構成した液晶表示装置も考えられる。この場合、映像処理回路４は、ＬＥＤ１３がその低光量での照明状態に保持された状況下で、映像内容に応じて調節される赤色の前記液晶出力輝度を、より高める方向に補正する（赤色出力輝度補正手段の一例）。
これにより、液晶パネル２１の表示映像の画質に与える影響を少なくしながら、省電力化を図ることができる。
また、赤色の液晶出力輝度の補正方法は、前述した方法に限らず、例えば、補正前のγテーブルと補正後のγテーブルとの両方を予め記憶手段に記憶しておき、実行モード（第１モード又は第２モード）に応じて、いずれのγテーブルを使用するかを切り替えるような構成も、本発明の実施形態の一例である。
【産業上の利用可能性】
【００２６】
本発明は、テレビジョン受像機に利用可能である。
【図面の簡単な説明】
【００２７】
【図１】本発明の実施形態に係る液晶表示装置Ｘの概略構成を表すブロック図。
【図２】液晶表示装置Ｘにおけるバックライト及び液晶出力輝度の制御手順を表すフローチャート。
【図３】液晶表示装置Ｘにおける蛍光管の基準出力レベルの設定に用いるデータテーブルをグラフ化した図。
【図４】液晶表示装置Ｘにおける液晶出力輝度の調節に用いるγテーブルをグラフ化した図。
【図５】液晶表示装置Ｘにおける映像調整用のパラメータ設定画面の一例を表す図。
【符号の説明】
【００２８】
Ｘ…液晶表示装置
１ａ、１ｂ、１ｃ…チューナ
２…外部入力部
３…映像切替回路
４…映像処理回路
６…タイマ回路
７…リモコン
８…制御回路
９…リモコンインターフェース回路
１０…音声切替回路
１１…音声処理回路
１２…蛍光管（バックライト）
１３…ＬＥＤ（バックライト）
１４…インバータ回路
１５…ＬＥＤ駆動回路
１６…カラーセンサ
１７…明るさセンサ
２１…液晶パネル
Ｓ１、Ｓ２、・・…ステップ（処理手順）
【図１】
2007212820.tif 000003
【図２】
2007212820.tif 000004
【図３】
2007212820.tif 000005
【図４】
2007212820.tif 000006
【図５】
2007212820.tif 000007